(57)【要約】      （修正有）【課題】クレーンゲーム機のキャッチ爪の構造を提供する。【解決手段】クレーン装置１０及びレーザーアライメント装置２０で構成するクレーンゲーム機のキャッチ爪の構造であって、上記クレーン装置は、固定台１１を備え、該固定台は複数のキャッチ爪１３の基端を回動可能に枢接し、複数のコンロッド１２をキャッチ爪１３に枢接すると共に該キャッチ爪の他端を昇降台１４と枢接することにより、昇降台、キャッチ爪とコンロッドの間で連動機構を形成し、キャッチ爪は昇降台の昇降操作により駆動されてキャッチ爪の挟む及び開く動作を行う。上記レーザーアライメント装置２０は、固定台の底側に設けた基板の底面に一以上のレーザーヘッド２２を設けて、レーザービームを物品に投射することにより、プレイヤーは物品の位置を把握して位置調整を行い希望する商品を掴むことができる。【選択図】図１
0003224748.tif 000002
【実用新案登録請求の範囲】
【請求項１】
クレーン装置及びレーザーアライメント装置からなり、
上記クレーン装置は、固定台を備え、該固定台は複数のキャッチ爪の基端を枢接し、該キャッチ爪にそれぞれコンロッドの一端を枢接すると共に、該コンロッドの他端を昇降台と枢接して結合することで、昇降台、キャッチ爪とコンロッドの間で連動機構を形成し、それによりキャッチ爪が昇降台の昇降操作による駆動を受けて挟む及び開く動作を行い、
上記レーザーアライメント装置は、上記固定台の底側に設けた基板を備え、該基板の底面に少なくとも一つのレーザーヘッドを設け、該レーザーヘッドはレーザービームを発射して物品に投射するようにしたことを特徴とするクレーンゲーム機のキャッチ爪の構造。
【請求項２】
前記基板の底面に設けたレーザーヘッドは、一つ或いは環状等間隔に三つのレーザーヘッドを設けたことを特徴とする請求項１記載のクレーンゲーム機のキャッチ爪の構造。
【請求項３】
前記基板の底面にカメラレンズを設置したことを特徴とする請求項１記載のクレーンゲーム機のキャッチ爪の構造。
【考案の詳細な説明】
【技術分野】
【０００１】
本考案は、一種のクレーンゲーム機のキャッチ爪の構造に関し、特にプレイヤーが商品の位置を把握して操作するアライメントを行って商品を掴むのをサポートするキャッチ爪の構造に関する。
【背景技術】
【０００２】
クレーンゲーム機(或いはＵＦＯキャッチャー、プライズゲームと呼ばれる。)は、複数の商品を一つの筐体の中に入れ、筐体の上方には移動できるクレーンを設け、クレーンの下方にキャッチ爪を設ける。プレイヤーはジョイスティックを使ってクレーンの移動及び距離を制御し、キャッチ爪を下ろして商品を掴む。
【０００３】
目下のクレーンゲーム機の商品を入れるスペースの多くは、一定の高さの差を隔てて商品を見るようになっているため、プレイヤーは目視で筐体内の商品の位置を見るしかない。また、キャッチ爪を設置する高さはいずれも筐体の上方の高い位置にあるため、プレイヤーは肉眼でキャッチ爪を下ろす位置と商品との間の相対位置を正確に判断することができず、また、キャッチ爪は移動する過程において揺れ動き、それによりプレイヤーは正確に掴み取りたい商品を定めることができず、商品の獲得に失敗するため、クレーンゲーム機を楽しむことができず、商品を選んで販売する目的を失うことを鑑みて、更なる改善が必要であった。
【先行技術文献】
【特許文献】
【０００４】
【特許文献１】特開２０１４−７６２０６号公報
【特許文献２】特開２０１４−７６２０８号公報
【考案の概要】
【考案が解決しようとする課題】
【０００５】
前記公知構造の欠点を解決するため、本考案はプレイヤーがキャッチ爪の位置を調整するアライメントを行って商品を掴むのをサポートするキャッチ爪の構造を提供することを主な課題とする。
【課題を解決するための手段】
【０００６】
前記課題を解決するために、本考案のキャッチ爪に含まれるのは一つのクレーン装置及び一つのレーザーアライメント装置である。
【０００７】
クレーン装置は固定台を備え、該固定台は複数のコンロッドを枢接し、該コンロッドの他端にキャッチ爪を枢接する。該複数のキャッチ爪の基端は昇降台と枢接して結合することで、昇降台、キャッチ爪とコンロッドの間で連動機構を形成し、それによりキャッチ爪が昇降台が昇降移動することによる駆動を受けて挟む及び開く動作を行う。
【０００８】
レーザーアライメント装置は、基板を備え、該基板を固定台の底側に設けると共に該基板の底面に少なくとも一つのレーザーヘッドを設け、該レーザーヘッドはレーザービームを発射して物品に投射する。
【０００９】
それによりプレイヤーがアライメントを行って商品を掴むのをサポートするキャッチ爪の構造を提供する。
【考案の効果】
【００１０】
本考案の構造により、プレイヤーがアライメントを行って商品を掴むのをサポートし、商品を掴み取る成功率を上げる。
【図面の簡単な説明】
【００１１】
【図１】本考案の立体分解図である。
【図２】本考案の立体組立図である。
【図３】本考案のレーザーアライメント装置がビームを筐体に投影した略図である。
【図４】本考案の基板の底面にカメラレンズを設ける立体図である。
【考案を実施するための形態】
【００１２】
以下、本考案の構造と特徴および効果を、図１〜図４に示す実施例を参照しながら詳細に説明する。
【実施例】
【００１３】
図１に示すように、実施例のキャッチ爪に含まれるのは一つのクレーン装置１０及び一つのレーザーアライメント装置２０である。
【００１４】
図２に示すように、クレーン装置１０は一つの固定台１１を備え、該固定台１１は複数のキャッチ爪１３の基端を回動可能に枢接し、複数のコンロッド１２を該キャッチ爪１３に枢接すると共に該コンロッド１２の他端を昇降台１４と枢接して結合することで、
昇降台１４、キャッチ爪１３とコンロッド１２の間で連動機構を形成し、それによりキャッチ爪１３が昇降台１４の昇降操作による駆動を受けて挟む、及び開く動作を行う。
【００１５】
図２に示すように、レーザーアライメント装置２０は、固定台１１の底側に基板２１を備え、該基板の底面に少なくとも一つのレーザーヘッド２２を設けて該レーザーヘッド２２はレーザービームを発射して物品に投射するようにする。
【００１６】
上述の最良実施例は、該基板２１の底面に一つのレーザーヘッド２２或いは環状等間隔に三つのレーザーヘッド２２を設けることができる。
【００１７】
上述の装置を介し、レーザーアライメント装置２０のレーザーヘッド２２がレーザービームを発して物品に投射することで、レーザーアライメントのパターン３０(図３に示すような十字の印)を形成する。プレイヤーが本考案のクレーン装置１０を操作して移動する際、該レーザーアライメント装置２０はクレーン装置１０と同時に移動することで、レーザーヘッド２２が発生するレーザーアライメントパターン３０も同時に移動し、プレイヤーはレーザーアライメントパターン３０の位置に基づき、クレーン装置１０の位置を判断する。さらに進んではプレイヤーがクレーン装置１０を狙い定めている商品に確実に当てることをサポートをするため、商品を掴み取る成功率を高めることで、クレーンゲーム機の娯楽効果及びプレイヤーがゲームをする意欲を高まる。
【００１８】
上述の最良実施例は、該基板２１の底面に一つのカメラレンズ２３を設置することができ、該カメラレンズ２３はキャッチ爪２０の下方の画面を撮影し、それにより、プレイヤーが遠距離でキャッチ爪を操作して商品を掴む際、カメラレンズ２３が撮影する画面に基づき、クレーン装置１０を制御することができる。また、該クレーンゲーム機はゲーム機にモニターを設置して、カメラレンズ２３が撮影する画面をモニターに表示することができる。プレイヤーは表示される画面に基づき、クレーン装置２０を操作し、実質商品を掴み取る成功率を高めることができる。
【００１９】
以上の実施例による本考案の詳細な説明は本考案の範囲を制限するものではない。本分野の技術に熟知する者は、固定構造の変更などの適当な変更および調整を行うことができ、これらの変更および調整を行っても本考案の重要な意義は失われず、本考案の範囲に含まれる。
【符号の説明】
【００２０】
１０    クレーン装置
１１    固定台
１２    コンロッド
１３    キャッチ爪
１４    昇降台
２０    レーザーアライメント装置
２１    基板
２２    レーザーヘッド
２３    カメラレンズ
３０    レーザーアライメント印
【図１】
0003224748.tif 000003
【図２】
0003224748.tif 000004
【図３】
0003224748.tif 000005
【図４】
0003224748.tif 000006